(57)【要約】【課題】タッチ式入力装置において、操作性を向上させることができる。【解決手段】選択されるアイコン５０ａ〜５０ｏが切り替わったときに、タッチパッドへのなぞり操作量に対する操作座標Ｐ１の移動量が小さくなる。よって、特に比較的面積が小さいアイコンを選択する場合に、ユーザの意図に反して操作座標Ｐ１がそのアイコンを通過することが抑制される。【選択図】図３
2014071463.tif 000002
【特許請求の範囲】
【請求項１】
複数のアイコンを表示するディスプレイと、
操作面に対するユーザのなぞり操作を検出する検出手段と、
前記検出手段の検出結果に基づき前記ディスプレイ上に位置する操作座標を移動させ、その操作座標が位置するアイコンを選択した状態とする制御手段と、を備えたタッチ式入力装置において、
前記制御手段は、選択される前記アイコンが切り替わったときに、前記操作面へのなぞり操作量に対する前記操作座標の移動量を小さくする
タッチ式入力装置。
【請求項２】
請求項１に記載のタッチ式入力装置において、
前記制御手段は、選択される前記アイコンが切り替わったときに、なぞり操作の速度がそのアイコンを通過すると予想される速度であれば前記操作面へのなぞり操作量に対する前記操作座標の移動量を維持する
タッチ式入力装置。
【請求項３】
請求項１又は２に記載のタッチ式入力装置において、
前記制御手段は、選択されるアイコンが第１のアイコンから第２のアイコンに切り替わったことに伴い前記なぞり操作量に対する前記操作座標の移動量を小さくした後、前記操作座標が前記第２のアイコンから第３のアイコンに移動を開始すると予想される時間となったとき、前記なぞり操作量に対する前記操作座標の移動量をもとに戻す
タッチ式入力装置。
【請求項４】
請求項１〜３の何れか一項に記載のタッチ式入力装置において、
前記アイコンとして、所定の方向におけるサイズが大きい第１のアイコンと、前記所定の方向におけるサイズが前記第１のアイコンより小さい第２のアイコンとが、前記所定の方向に沿って並び、
前記制御手段は、前記操作座標の前記所定の方向に沿った移動に伴い、選択されたアイコンが前記第１のアイコンから第２のアイコンに切り替わったときに、前記操作面へのなぞり操作量に対する前記操作座標の移動量を小さくする
タッチ式入力装置。
【発明の詳細な説明】
【技術分野】
【０００１】
この発明は、タッチ式入力装置に関する。
【背景技術】
【０００２】
従来、タッチパッドをタッチ操作（なぞり操作）することで、ディスプレイに表示されるアイコンの選択操作を行うタッチ式入力装置が知られている（例えば、特許文献１参照）。
【０００３】
具体的には、図７に示すように、ディスプレイ１００には複数のアイコン１０１ａ〜１０１ｏが表示されている。本例では、アイコンの種類として、Ｘ方向に大きい長方形のアイコン１０１ａ〜１０１ｅと、それらアイコンよりＸ方向に小さい正方形のアイコン１０１ｆ〜１０１ｏとがある。タッチパッドへのなぞり操作に対応して、×印で示す操作座標１０５がディスプレイ１００上を移動する。この操作座標１０５が位置するアイコン１０１ａ〜１０１ｏは選択された状態となる。
【先行技術文献】
【特許文献】
【０００４】
【特許文献１】特開２０１０−９３２１号公報
【発明の概要】
【発明が解決しようとする課題】
【０００５】
上記タッチ式入力装置においては、アイコン１０１ａ〜１０１ｏの大きさが異なるため、所定のアイコンが選択された状態から、そのアイコンが隣接するアイコンを選択した状態に切り替えるまでに必要となるなぞり操作量が異なる。例えば、選択アイコンをアイコン１０１ｃからアイコン１０１ｈに切り替える際に必要となるなぞり操作量Ｌ１は、アイコン１０１ｈからアイコン１０１ｍに切り替える際に必要となるなぞり操作量Ｌ２より多くなる。
【０００６】
ここで、操作座標１０５がアイコン１０１ｃに位置している場合、そのアイコン１０１ｃはＸ方向に大きいため、ユーザはＸ方向に配置された他のアイコンを選択するためには高速でなぞり操作を行うと考えられる。よって、操作座標１０５の移動速度は速くなる。このため、なぞり操作軌跡Ｌ３に示すように、アイコン１０１ｃからアイコン１０１ｈを選択する際、そのアイコン１０１ｈを通り過ぎて、意図しないアイコン１０１ｍが選択されるおそれがある。このように、特に異なる面積のアイコンが混在する場合にあっては、タッチパッドへのなぞり操作を通じて、適切にアイコンを選択できないことが懸念される。
【０００７】
この発明は、こうした実情に鑑みてなされたものであり、その目的は、操作性を向上させたタッチ式入力装置を提供することにある。
【課題を解決するための手段】
【０００８】
以下、上記目的を達成するための手段及びその作用効果について説明する。
請求項１に記載の発明は、複数のアイコンを表示するディスプレイと、操作面に対するユーザのなぞり操作を検出する検出手段と、前記検出手段の検出結果に基づき前記ディスプレイ上に位置する操作座標を移動させ、その操作座標が位置するアイコンを選択した状態とする制御手段と、を備えたタッチ式入力装置において、前記制御手段は、選択される前記アイコンが切り替わったときに、前記操作面へのなぞり操作量に対する前記操作座標の移動量を小さくすることをその要旨としている。
【０００９】
同構成によれば、選択されるアイコンが切り替わったときに、操作面へのなぞり操作量に対する操作座標の移動量が小さくなる。よって、特に比較的面積が小さいアイコンを選択する場合に、ユーザの意図に反して操作座標がそのアイコンを通過することが抑制される。従って、タッチ式入力装置の操作性を向上させることができる。
【００１０】
請求項２に記載の発明は、請求項１に記載のタッチ式入力装置において、前記制御手段は、選択される前記アイコンが切り替わったときに、なぞり操作の速度がそのアイコンを通過すると予想される速度であれば前記操作面へのなぞり操作量に対する前記操作座標の移動量を維持することをその要旨としている。
【００１１】
同構成によれば、操作座標の移動速度が選択されたアイコンを通過すると予想される速度であれば操作面へのなぞり操作量に対する操作座標の移動量が維持される。よって、操作座標のアイコン通過をスムーズに行うことができる。従って、タッチ式入力装置の操作性を向上させることができる。
【００１２】
請求項３に記載の発明は、請求項１又は２に記載のタッチ式入力装置において、前記制御手段は、選択されるアイコンが第１のアイコンから第２のアイコンに切り替わったことに伴い前記なぞり操作量に対する前記操作座標の移動量を小さくした後、前記操作座標が前記第２のアイコンから第３のアイコンに移動を開始すると予想される時間となったとき、前記なぞり操作量に対する前記操作座標の移動量をもとに戻すことをその要旨としている。
【００１３】
同構成によれば、操作座標が位置するアイコンから他のアイコンに移動を開始すると予想される時間となったとき、なぞり操作量に対する操作座標の移動量がもとに戻される。よって、操作座標を現在選択中の第２のアイコンから第３のアイコンにスムーズに移動させることができる。従って、タッチ式入力装置の操作性を向上させることができる。
【００１４】
請求項４に記載の発明は、請求項１〜３の何れか一項に記載のタッチ式入力装置において、前記アイコンとして、所定の方向におけるサイズが大きい第１のアイコンと、前記所定の方向におけるサイズが前記第１のアイコンより小さい第２のアイコンとが、前記所定の方向に沿って並び、前記制御手段は、前記操作座標の前記所定の方向に沿った移動に伴い、選択されたアイコンが前記第１のアイコンから第２のアイコンに切り替わったときに、前記操作面へのなぞり操作量に対する前記操作座標の移動量を小さくすることをその要旨としている。
【００１５】
一般的に、面積が大きいアイコンから他のアイコンに選択アイコンを切り替える際、操作座標を迅速に面積が大きいアイコン外とするべく、なぞり速度が速くなる傾向にある。上記構成によれば、大きいアイコンから小さいアイコンへ選択アイコンを切り替える際に、なぞり速度が速くても、操作座標が小さいアイコンを通過することが抑制される。従って、タッチ式入力装置の操作性を向上させることができる。
【発明の効果】
【００１６】
本発明によれば、タッチ式入力装置において、操作性を向上させることができる。
【図面の簡単な説明】
【００１７】
【図１】本発明の一実施形態における車両に搭載されるタッチパッド及びディスプレイを示す斜視図。
【図２】本発明の一実施形態におけるタッチ式入力装置の構成を示すブロック図。
【図３】本発明の一実施形態におけるディスプレイの画面を示した正面図。
【図４】本発明の一実施形態におけるアイコンの拡大図。
【図５】本発明の一実施形態における制御装置による処理手順を示すフローチャート。
【図６】他の実施形態におけるアイコンの拡大図。
【図７】背景技術におけるディスプレイの画面を示した正面図。
【発明を実施するための形態】
【００１８】
以下、本発明のタッチ式入力装置を車両に搭載した一実施形態を図１〜図５に従って説明する。
図１に示すように、ダッシュボード１の中央部（センタークラスタ）にはディスプレイ５が嵌め込まれている。センターコンソール２には、シフトレバー３が設けられ、その手前側にタッチパッド１３がその表面（操作面）を露出させる態様で設けられている。
【００１９】
ユーザは、タッチパッド１３のタッチ操作（なぞり操作）を通じて、ディスプレイ５に表示されたアイコンの選択及び決定を行うことでカーナビゲーション等の車載機器の操作を行う。
【００２０】
図２に示すように、タッチ式入力装置１０は、ディスプレイ５と、タッチパッド１３と、制御装置１１とを備える。
制御装置１１は、後述する閾値等が記憶されるメモリ１１ａと、時間を計測するタイマ１１ｂとを備える。
【００２１】
タッチパッド１３には、検出手段としてタッチセンサ１４が内蔵されている。タッチセンサ１４は、タッチパッド１３に指が触れたことに伴う静電容量の変化を検出し、その検出結果を制御装置１１に出力する。制御装置１１は制御手段に相当する。
【００２２】
制御装置１１は、上記ディスプレイ５の画面を制御する。例えば、図３に示すように、制御装置１１は、ディスプレイ５に複数のアイコン５０ａ〜５０ｏを表示する。図３におけるディスプレイ５の左右方向をＸ方向とし、上下方向をＹ方向とする。本例では、各アイコン５０ａ〜５０ｏのＹ方向のサイズ（長さ）は同一である。アイコン５０ａ〜５０ｅのＸ方向のサイズはアイコン５０ｆ〜５０ｏより大きい。すなわち、アイコン５０ａ〜５０ｅはＸ方向に長い長方形に形成され、アイコン５０ｆ〜５０ｏは正方形に形成される。
【００２３】
制御装置１１は、タッチセンサ１４の検出結果に基づき、なぞり操作に応じてディスプレイ５上に位置する×印で示される操作座標Ｐ１を移動させる。このとき、制御装置１１は、タッチパッド１３へのなぞり操作量（長さ）と、その移動に要した経過時間Ｔｎとを通じてなぞり操作速度Ｖを算出する。
【００２４】
また、制御装置１１は、以下の式を利用して、Ｘ方向における操作座標Ｐ１の移動量Ｌｘを決定する。
操作座標の移動量Ｌｘ＝なぞり操作量×係数Ｋ・・・・（１）
この式（１）の各項はＸ方向成分についての値となる。制御装置１１は、上記係数Ｋを第１の係数Ｋ１と第２の係数Ｋ２との間で切り替える。この第１の係数Ｋ１は、第２の係数Ｋ２より大きいものとする。この係数の変化については後で詳述する。
【００２５】
本例では、操作座標Ｐ１はディスプレイ５に表示されない。制御装置１１は、操作座標Ｐ１が位置するアイコン５０ａ〜５０ｏを選択した状態とする。
図４に示すように、制御装置１１は、ディスプレイ５上のアイコン５０ａ〜５０ｏ間に閾ラインＴｈ１〜Ｔｈ３を仮想的に設定する。図４では、一部のアイコン間の閾ラインのみ示したが、他のアイコン間にも閾ラインが設定されている。
【００２６】
図４に示すように、タッチパッド１３への一定速度のなぞり操作に応じてアイコン５０ｃからアイコン５０ｈまで操作座標Ｐ１がＸ方向に移動したとする。図４の各時刻ｔ０〜ｔ９間の時間は同一であるとする。
【００２７】
制御装置１１は、時刻ｔ０〜時刻ｔ４まで上記式（１）に第１の係数Ｋ１を適用して、操作座標Ｐ１の移動量Ｌ１〜Ｌ４を算出し、その移動量Ｌ１〜Ｌ４だけＸ方向に操作座標Ｐ１を移動させる。制御装置１１は、時刻ｔ４において操作座標Ｐ１が閾ラインＴｈ１を超えた旨判断したとき、選択アイコンをアイコン５０ｃからアイコン５０ｈに切り替えるとともに、そのときのなぞり操作速度Ｖが閾値Ｖｔｈ未満であれば、上記式（１）における係数Ｋを第１の係数Ｋ１から第２の係数Ｋ２に変更する。この第２の係数Ｋ２は、一定時間Ｔａに亘って維持される。
【００２８】
制御装置１１は、そのときのなぞり操作速度Ｖが閾値Ｖｔｈ以上であれば、第１の係数Ｋ１を維持する。この閾値Ｖｔｈは、アイコン５０ｈを通過して、その隣のアイコン５０ｍが選択されると予想される速度に基づき設定される。
【００２９】
制御装置１１は、時刻ｔ４〜時刻ｔ８までの一定時間Ｔａに亘って、第２の係数Ｋ２を利用して操作座標Ｐ１の移動量Ｌ５〜Ｌ８を算出し、その移動量Ｌ５〜Ｌ８だけＸ方向に操作座標Ｐ１を移動させる。ここで、「Ｋ１＞Ｋ２」であることから、以後、一定時間Ｔａに亘ってなぞり操作量に対する操作座標Ｐ１の移動量Ｌｘが減少する。各移動量Ｌ５〜Ｌ８は各移動量Ｌ１〜Ｌ４より少なくなる。よって、操作座標Ｐ１がアイコン５０ｈを通り過ぎることが抑制される。
【００３０】
上記一定時間Ｔａは、操作座標Ｐ１がアイコン５０ｈから、そのアイコン５０ｈに隣接するアイコン５０ｍ，５０ｇ，５０ｉに移動を開始すると予想される時間に設定される。一定時間Ｔａの経過後（時刻ｔ８の経過後）は、なぞり操作量に対する操作座標Ｐ１の移動量Ｌｘがもとに戻る。よって、時刻ｔ８から時刻ｔ９までに操作座標Ｐ１が各移動量Ｌ１〜Ｌ４と同一の移動量Ｌ９だけ移動する。このため、選択アイコンを切り替える際には、容易に操作座標Ｐ１をアイコン５０ｈから他のアイコンに移動させることができる。
【００３１】
制御装置１１は、アイコン５０ａ〜５０ｏが選択された状態で、タッチセンサ１４の検出結果を通じて、タッチパッド１３に叩く操作がされた旨認識すると、そのアイコンが操作されたとして、そのアイコンに応じた機能を実行する。
【００３２】
制御装置１１は、Ｙ方向についても同様に操作座標の移動量Ｌを算出する。また、なぞり操作が斜め方向にされた場合、Ｘ方向及びＹ方向について別個に操作座標の移動量Ｌが算出される。
【００３３】
つぎに、図５のフローチャートを参照しつつ、制御装置１１の処理手順について説明する。このフローチャートの開始時においては、アイコン５０ｃが選択された状態にあるとする。
【００３４】
制御装置１１は、操作座標Ｐ１が閾ラインＴｈ１を越えるのを待つ（Ｓ１０１でＮＯ）。制御装置１１は、操作座標Ｐ１が閾ラインＴｈ１を越えた旨判断したとき（Ｓ１０１でＹＥＳ）、選択アイコンをアイコン５０ｈに切り替える（Ｓ１０２）。そして、制御装置１１は、そのときのなぞり操作速度Ｖが閾値Ｖｔｈ以上であるか否かを判断する（Ｓ１０３）。
【００３５】
制御装置１１は、なぞり操作速度Ｖが閾値Ｖｔｈ未満である旨判断すると（Ｓ１０３でＮＯ）、アイコン５０ｈが選択される可能性があるとして、係数Ｋを第１の係数Ｋ１から第２の係数Ｋ２に変更する（Ｓ１０４）。そして、制御装置１１は、タイマ１１ｂを通じて時間Ｔｎの計測を開始する（Ｓ１０５）。制御装置１１は、計測された時間Ｔｎが一定時間Ｔａに達するのを待つ（Ｓ１０６でＮＯ）。
【００３６】
制御装置１１は、時間Ｔｎが一定時間Ｔａに達した旨判断すると（Ｓ１０６でＹＥＳ）、係数Ｋを第１の係数Ｋ１に戻す（Ｓ１０７）。以上、制御装置１１はフローチャートに係る処理を終了する。
【００３７】
一方、制御装置１１は、なぞり操作速度Ｖが閾値Ｖｔｈ以上である旨判断すると（Ｓ１０３でＹＥＳ）、係数Ｋを第２の係数Ｋ１に維持したままフローチャートに係る処理を終了する。
【００３８】
上記では、操作座標Ｐ１がアイコン５０ｃからアイコン５０ｈに移動した場合について説明したが、その他、Ｘ方向に大きいアイコン５０ａ，５０ｂ，５０ｄ，５０ｅから、Ｘ方向に小さいアイコン５０ｆ，５０ｇ，５０ｉ，５０ｊに操作座標Ｐ１が移動した場合も上記図５のフローチャートと同様の処理が実行される。なお、本例では、その他のアイコン間で操作座標Ｐ１が移動して閾ラインＴｈ２，Ｔｈ３を超えた場合には、選択アイコンのみ変更されて係数Ｋは変更されない。
【００３９】
以上、説明した実施形態によれば、以下の効果を奏することができる。
（１）選択されるアイコン５０ａ〜５０ｏが切り替わったときに、タッチパッド１３へのなぞり操作量に対する操作座標Ｐ１の移動量が小さくなる。よって、特に比較的面積が小さいアイコンを選択する場合に、ユーザの意図に反して操作座標Ｐ１がそのアイコンを通過することが抑制される。従って、タッチ式入力装置１０の操作性を向上させることができる。
【００４０】
（２）操作座標Ｐ１の移動速度がそのアイコンを通過すると予想される速度（なぞり操作速度Ｖが閾値Ｖｔｈ以上）であれば、係数Ｋを第１の係数Ｋ１に維持することを通じて、タッチパッド１３へのなぞり操作量に対する操作座標Ｐ１の移動量が維持される。よって、操作座標Ｐ１のアイコン通過をスムーズに行うことができる。従って、タッチ式入力装置１０の操作性を向上させることができる。
【００４１】
（３）なぞり操作量に対する操作座標Ｐ１の移動量が小さくされた状態において、操作座標Ｐ１が位置するアイコン（例えばアイコン５０ｈ）から他のアイコン（例えばアイコン５０ｍ）に移動すると予想される一定時間Ｔａとなったとき（Ｓ１０６でＹＥＳ）、なぞり操作量に対する操作座標Ｐ１の移動量がもとに戻される（Ｓ１０７）。よって、操作座標Ｐ１を現在選択中のアイコンから、それに隣接するアイコンにスムーズに移動させることができる。従って、タッチ式入力装置１０の操作性を向上させることができる。
【００４２】
（４）面積が大きいアイコン（例えばアイコン５０ｃ）から選択アイコンを切り替える際、操作座標Ｐ１を迅速にアイコン５０ｃ外とするべく、なぞり速度が速くなる傾向にある。このような操作がされても、なぞり操作量に対する操作座標Ｐ１の移動量が小さくされることで、ユーザの意図に反して操作座標Ｐ１がアイコンを通過することが抑制される。
【００４３】
なお、上記実施形態は、これを適宜変更した以下の形態にて実施することができる。
・上記実施形態においては、制御装置１１は、係数Ｋを一定時間Ｔａのみ第２の係数Ｋ２に変更していた。しかし、制御装置１１は、係数Ｋを第２の係数Ｋ２に変更した後（Ｓ１０４）、操作座標Ｐ１の移動量が閾値以上となったとき、係数Ｋを第１の係数Ｋ１に戻してもよい（Ｓ１０７）。この閾値は、一定時間Ｔａと同様に、操作座標Ｐ１がアイコン５０ｈから、そのアイコン５０ｈに隣接するアイコン５０ｍ，５０ｇ，５０ｉに移動を開始すると予想される値に設定される。また、一定時間Ｔａが経過すること、操作座標Ｐ１の移動量が閾値以上となることの２条件が成立したとき、係数Ｋを第１の係数Ｋ１に戻してもよい。
【００４４】
また、操作座標Ｐ１の位置に応じて係数Ｋを第２の係数Ｋ２から第１の係数Ｋ１に戻してもよい。例えば、図６に示すように、アイコン５０ｈのアイコン５０ｃ側にエリアＡ１を形成する。矢印６１に示すように、操作座標Ｐ１がエリアＡ１外となったとき、操作座標Ｐ１によるアイコン５０ｈから他のアイコン５０ｍ，５０ｇ，５０ｉへの移動が開始すると予想される位置となったとして、係数Ｋを第１の係数Ｋ１に戻す。
【００４５】
本構成によれば、なぞり操作量に対する操作座標Ｐ１の移動量が戻される位置を特定することができる。よって、よりスムーズに操作座標Ｐ１をアイコン５０ｈから脱出させることができる。また、操作座標Ｐ１がエリアＡ１外となることを条件の一つとしてもよい。エリアＡの形状は適宜変更可能である。
【００４６】
さらに、図５のフローチャートのステップＳ１０５〜Ｓ１０７を省略してもよい。この場合、選択アイコンが切り替わったときに、第１の係数Ｋ１に戻される。
・上記実施形態においては、Ｘ方向に大きいアイコン５０ａ〜５０ｅから、Ｘ方向に小さいアイコン５０ｆ〜５０ｏに操作座標Ｐ１が移動した場合にのみ、係数Ｋの変更を通じて、なぞり操作量に対する操作座標の移動量が減少されていた。しかし、他のアイコン間で操作座標Ｐ１が移動した場合にも、なぞり操作量に対する操作座標の移動量を減少させてもよい。この場合、Ｘ方向における操作座標Ｐ１の移動だけでなく、Ｙ方向における操作座標Ｐ１の移動（例えば、操作座標Ｐ１が図４の閾ラインＴｈ２，Ｔｈ３を超えたとき）に伴っても図５のフローチャートと同様の処理が実行される。
【００４７】
・ディスプレイ５上に表示されるアイコン５０ａ〜５０ｏの形状、数等は適宜変更される。この場合でも、上記実施形態と同様に、選択アイコンの切り替え時に、なぞり操作量に対する操作座標の移動量を減少させることで、操作性を向上させることができる。
【００４８】
・上記実施形態においては、図５に示すように、一定時間Ｔａが経過したとき第２の係数Ｋ２から第１の係数Ｋ１に戻されていたが（Ｓ１０７）、第１の係数Ｋ１に限らず、両係数Ｋ１，Ｋ２間の新たな係数を設定されてもよい。また、係数Ｋは２種類であったが、３種類以上であってもよい。アイコン間で異なる係数Ｋを利用してもよいし、時間Ｔｎ経過に伴い異なる係数Ｋを利用してもよい。
【００４９】
・上記実施形態においては、アイコン５０ａ〜５０ｏ間に隙間があったが、隣接していてもよい。
・上記実施形態においては、操作座標Ｐ１がディスプレイ５に表示されていなかったが、この操作座標Ｐ１を表示してもよい。
【００５０】
・タッチパッド１３の位置は上記実施形態に限らず、例えば、ステアリング又はダッシュボード１に設けられていてもよい。
・上記実施形態におけるタッチ式入力装置１０を車両以外の電気機器に適用してもよい。
【００５１】
・上記実施形態においては、タッチセンサ１４として静電容量方式が採用されていたが、その他、抵抗膜方式、表面弾性波方式、赤外線方式又は電磁誘導方式を採用してもよい。
【００５２】
・上記実施形態においては、タッチパッド１３を叩く操作を通じて、アイコン５０ａ〜５０ｏが選択されていた。しかし、この叩く操作に代えて２回に亘ってタッチパッド１３を叩くダブルタップ操作、又はタッチパッド１３から手指を離したときアイコンが選択されるリリースエンタ操作としてもよい。
【００５３】
次に、前記実施形態から把握できる技術的思想をその効果と共に記載する。
（イ）請求項１又は２に記載のタッチ式入力装置において、前記制御手段は、選択されるアイコンが第１のアイコンから第２のアイコンに切り替わったことに伴い前記なぞり操作量に対する前記操作座標の移動量を小さくした後、前記操作座標が前記第２のアイコンから第３のアイコンに移動が開始すると予想される位置となったとき、前記なぞり操作量に対する前記操作座標の移動量をもとに戻すタッチ式入力装置。
【００５４】
同構成によれば、より適切なタイミング（位置）で、なぞり操作量に対する操作座標の移動量がもとに戻される。従って、タッチ式入力装置１０の操作性を向上させることができる。
【符号の説明】
【００５５】
５…ディスプレイ、１０…タッチ式入力装置、１１…制御装置、１３…タッチパッド、１４…タッチセンサ、５０ａ〜５０ｏ…アイコン。
【図１】
2014071463.tif 000003
【図２】
2014071463.tif 000004
【図３】
2014071463.tif 000005
【図４】
2014071463.tif 000006
【図５】
2014071463.tif 000007
【図６】
2014071463.tif 000008
【図７】
2014071463.tif 000009